(57)【要約】      （修正有）【課題】ブラシを装着してグリーン上の異物を容易に除去することができるようにするとともに、ゴルフパッティングの際にはブラシがパッティングの障害要素として作用しないようにすることができるブラシ付きゴルフパター用グリップ及びブラシ付きゴルフパターを提供する。【解決手段】ブラシ付きゴルフパター用グリップは、ゴルフパターのシャフト１０部分に結合されるグリップ本体２１と、グリップ本体の上端から上方に突出するように装着されたブラシ２２とを含む。【選択図】図１
0003226056.tif 000002
【実用新案登録請求の範囲】
【請求項１】
ゴルフパターのシャフト部分に結合されるグリップ本体と、
前記グリップ本体の上端から上方に突出するように装着されたブラシとを含んでなることを特徴とする、ブラシ付きゴルフパター用グリップ。
【請求項２】
前記ブラシは、前記グリップ本体の上端に一体に結合されていることを特徴とする、請求項１に記載のブラシ付きゴルフパター用グリップ。
【請求項３】
前記グリップ本体の上端に着脱可能に結合される支持板をさらに含んでなり、
前記ブラシは前記支持板の上端に結合されることを特徴とする、請求項１に記載のブラシ付きゴルフパター用グリップ。
【請求項４】
前記グリップ本体の上端には挿入溝が設けられ、
前記挿入溝には、上下方向に昇降する昇降部材が挿着され、
前記ブラシは、前記昇降部材の上端に結合され、
前記昇降部材が前記挿入溝から下方に下降したとき、前記ブラシは、前記グリップ本体の内部に隠蔽されて配置され、
前記昇降部材が前記挿入溝から上方に上昇したとき、前記ブラシは、前記グリップ本体の内部から外部に露出することを特徴とする、請求項１に記載のブラシ付きゴルフパター用グリップ。
【請求項５】
ゴルフパターであって、
パターシャフトと、
前記パターシャフトの上部に結合されるグリップとを含んでなり、
前記グリップは、請求項１乃至４のいずれか一項に記載のグリップからなることを特徴とする、ブラシ付きゴルフパター。
【考案の詳細な説明】
【技術分野】
【０００１】
本考案は、ブラシ付きゴルフパター用グリップ、及びブラシ付きゴルフパターに係り、特に、グリップの上端にブラシを装着してパッティングが円滑に行われるようにするとともに、グリーン上の異物も容易に除去することができるブラシ付きゴルフパター用グリップ及びブラシ付きゴルフパターに関する。
【背景技術】
【０００２】
ゴルフは、ゴルフボールをティーショットとアイアンショットを経てグリーン上に乗せれば、ボールの位置を固定するためのマークをした後、ゴルフボールにくっ付いた異物を除去し、ゴルフボールをホールカップに入れるために仮想の線を設定してパッティング（ｐｕｔｔｉｎｇ）を行う。
この時、ゴルフボールが通る仮想の線をパッティングライン（ｐｕｔｔｉｎｇ  ｌｉｎｅ）とし、正確なパッティングラインを設定するためには、グリーンの高低（ｂｒｅａｋ）やグリーンの状態などを綿密に観察した後、所望の方向と力でパッティングを行わなければならない。
ところが、ゴルフプレーヤーがいくら正確なゴルフラインを設定し、適切な方向と力でパッティングを行うとしても、パッティングライン上に落ち葉や小さな石などの異物がある場合には、それにより深刻な影響を受けるしかない。
ＰＧＡルールによると、ゴルフラインを改善または変更するためにグリーンを押したり修理したりすることは原則的に許可されないが、ゴルフラインを変更するのではなく、ゴルフライン上の異物を単に除去することは可能である。
このようなパッティングライン上の異物を除去するために、従来では、別途の掃除用ブラシを所持して使用するか、或いはゴルフパターのヘッドの下部にブラシを装着して異物を除去するようにした。
別途の掃除用ブラシを使用する場合には、ユーザが常に別途携帯し、使用の際に取り出したり再び入れたりする不要な行為が要求されて不便であるという欠点がある。
ゴルフパターのヘッドの下部にブラシが装着された場合には、ゴルフパッティングの際に、ヘッドの下部に装着されたブラシがパッティングの障害要素として作用するおそれがあって、ブラシをヘッドから分離しなければならず、異物を除去するためには、再びブラシをヘッドに結合させなければならないという不便さがあった。
【先行技術文献】
【特許文献】
【０００３】
【特許文献１】韓国公開特許第１０−２０１６−００７６６７７号明細書
【考案の概要】
【考案が解決しようとする課題】
【０００４】
本考案は、前述した問題点を解決するためのもので、その目的は、ゴルフパターにブラシを装着してグリーン上の異物を容易に除去することができるようにするとともに、ゴルフパッティングの際にはブラシがパッティングの障害要素として作用しないようにすることができるブラシ付きゴルフパター用グリップ及びブラシ付きゴルフパターを提供することにある。
【課題を解決するための手段】
【０００５】
上記の目的を達成するために、本考案のブラシ付きゴルフパター用グリップは、ゴルフパターのシャフト部分に結合されるグリップ本体と、前記グリップ本体の上端から上方に突出するように装着されたブラシとを含んでなることを特徴とする。
【０００６】
前記ブラシは、前記グリップ本体の上端に一体に結合されている。
または、前記グリップ本体の上端に着脱可能に結合される支持板をさらに含んでなるが、前記ブラシは前記支持板の上端に結合されている。
または、前記グリップ本体の上端には挿入溝が設けられ、前記挿入溝には、上下方向に昇降する昇降部材が挿着され、前記ブラシは、前記昇降部材の上端に結合されるが、前記昇降部材が前記挿入溝から下方に下降したとき、前記ブラシは、前記グリップ本体の内部に隠蔽されて配置され、前記昇降部材が前記挿入溝から上方に上昇したとき、前記ブラシは、前記グリップ本体の内部から外部に露出する。
また、上記の目的を達成するために、本考案のブラシ付きゴルフパターは、ゴルフパターであって、パターシャフトと、前記パターシャフトの上部に結合されるグリップとを含んでなるが、前記グリップは、上述したグリップからなることを特徴とする。
【考案の効果】
【０００７】
上述した本考案のブラシ付きゴルフパター用グリップ及びブラシ付きゴルフパターによれば、次の効果がある。
ゴルフパターのグリップ本体の上端にブラシを装着してグリーン上の異物を容易に除去することができるとともに、ゴルフパッティングの際にはブラシがパッティングの障害要素として作用しないようにすることができる。
したがって、前記ブラシを前記グリップ本体に対して別途分離または結合しなくても、パット及びグリーン上の異物の除去を行うことができるため、使用が便利である。
【図面の簡単な説明】
【０００８】
【図１】本考案の第１実施形態に係るゴルフパターの斜視図である。
【図２】本考案の第１実施形態に係るゴルフパターを用いて異物を除去する過程の説明図である。
【図３】本考案の第２実施形態に係るゴルフパターの斜視図である。
【図４】本考案の第３実施形態に係るゴルフパターの斜視図である。
【図５】本考案の第３実施形態に係るブラシの引出過程を示す断面図である。
【考案を実施するための形態】
【実施例１】
【０００９】
図１は本考案の第１実施形態に係るゴルフパターの斜視図、図２は本考案の第１実施形態に係るゴルフパターを用いて異物を除去する過程の説明図である。
本考案のブラシ付きゴルフパター用グリップ２０は、グリップ本体２１と、ブラシ２２とを含んでなる。
前記グリップ本体２１は、ゴルフパターのシャフト部分に結合されるものであって、一般的にシリコーン、合成樹脂、ゴムなどからなる。
前記ブラシ２２は、前記グリップ本体２１の上端から上方に突出するように装着される。
本実施形態において、前記ブラシ２２は、前記グリップ本体２１の上端に一体に結合されている。
前記ブラシ２２は、前記グリップ本体２１と同じ材質からなってもよく、互いに異なる材質からなってもよい。
前記ブラシ２２は、外力によって弾性変形できる材質からなることが好ましい。
一方、本考案のゴルフパターは、パターシャフト１０と、グリップ２０とを含んでなる。
前記パターシャフト１０は、一般的に金属材質からなっている。
前記パターシャフト１０の下部にもヘッドが結合されている。
前記グリップ２０は、前記パターシャフト１０の上部に結合されるものであって、上述した本考案のグリップ２０からなる。
前記グリップ本体２１の上端に結合される前記ブラシ２２は、ユーザがゴルフパターを使用する場合、障害要素とならないほどの長さ、例えば１〜５ｃｍが適当である。
ユーザは、グリーンでパッティングをしようとする場合、グリーンに異物があればゴルフパターを逆に握った状態で、前記ブラシ２２を用いて異物を除去することができる。
ゴルフパターの場合は、ヘッドが重いが、ゴルフパターを逆様にして重いヘッドが上部に配置され、前記ブラシ２２が下部に配置されるようにした状態で、グリーン上の異物を掃くために前記ゴルフパターを揺らすと、上部に配置されたヘッドの重量により前記ブラシ２２が容易に左右方向に揺れながら異物を掃くようになるという効果がある。
パッティングを行う場合には、再びヘッドが下部に配置されるようにした状態でパッティングを行う。
本考案は、前記ブラシ２２が前記グリップ本体２１の上端に一体に結合されたているので、ゴルフパターを使用するたびに、前記ブラシ２２を分離または結合させる面倒な作業をしなくてもよい。
つまり、従来技術でゴルフパターのヘッドの下部にブラシが装着された場合には、異物を除去しようとする場合にヘッドの下部にブラシを結合させ、パッティングをしようとする場合には、再び前記ブラシをヘッドから分離させなければならないという煩わしさがあった。
しかし、本考案は、前記ブラシ２２が前記グリップ本体２１の上端から上方にやや突出しているので、ユーザがパッティングする過程でブラシ２２が障害要素として作用しない。
よって、前記ブラシ２２をグリップ本体２１から分離する必要がない。
グリーンライン上に存在する異物を除去しようとする場合には、ゴルフパターを逆様にした状態で箒のように使用すればよいので、前記ブラシ２２を前記グリップ本体２１に対して別途分離または結合する必要がないため、使い勝手が良いという効果がある。
【実施例２】
【００１０】
図３は本考案の第２実施形態に係るゴルフパターの斜視図である。
第２実施形態は、第１実施形態とは、前記グリップ本体２１の上端に着脱可能に結合される支持板２３をさらに含んでなるという点で違いがある。
前記支持板２３の上端には前記ブラシ２２が結合されている。
前記支持板２３と前記グリップ本体２１は、磁石やベルクロ（登録商標）などを介して着脱可能に結合されるようにすることが好ましい。
よって、ユーザは、必要に応じて、前記ブラシ２２が装着された前記支持板２３を容易に前記グリップ本体２１に対して分離または結合させて使用することができる。
特に、前記ブラシ２２が装着された一つの支持板２３を用いて、複数のグリップ本体２１に結合させて使用することができるという効果がある。
その他の事項は、第１実施形態と同様なので、これについての詳細な説明は省略する。
【実施例３】
【００１１】
図４は本考案の第３実施形態に係るゴルフパターの斜視図、図５は本考案の第３実施形態に係るブラシの引出過程を示す断面図である。
第３実施形態は、第１実施形態と比較して、前記ブラシ２２が昇降するという点で違いがある。
前記グリップ本体２１の上端には挿入溝２１ａが形成されている。
前記挿入溝２１ａには、上下方向に昇降する昇降部材２４が挿着される。
前記ブラシ２２は、前記昇降部材２４の上端に結合されている。
このような構成により、前記昇降部材２４が前記挿入溝２１ａから下方に下降したとき、前記ブラシ２２は前記グリップ本体２１の内部に隠蔽されて配置される。
前記昇降部材２４が前記挿入溝２１ａから上方に上昇したとき、前記ブラシ２２は、前記グリップ本体２１の内部から外部に露出する。
この時、前記昇降部材２４が上昇または下降したとき、その状態をそのまま維持するようにする別途のストッパーが前記昇降部材２４および／またはグリップ本体２１に備えられるようにすることが好ましい。
また、前記昇降部材２４の側面には、前記グリップ本体２１の側方向の外部に露出するハンドル２４ａが形成され、ユーザが前記ハンドル２４ａを握って前記昇降部材２４を昇降させるようにする。
上述したように、前記昇降部材２４に結合された前記ブラシ２２が前記挿入溝２１ａの内部に配置されるか、或いは上昇して外部に露出するようにすることにより、前記ブラシ２２を使用しない場合には、前記昇降部材２４を下降させて前記ブラシ２２が前記挿入溝２１ａに挿入されて隠蔽されるようにし、前記ブラシ２２を使用しようとする場合には、前記昇降部材２４を上昇させて前記ブラシ２２が外部に露出するようにすることができる。
その他の事項は、第１実施形態と同様なので、これについての詳細な説明は省略する。
本考案のブラシ付きゴルフパター用グリップおよびブラシ付きゴルフパターは、前述した実施形態に限定せず、本考案の技術思想が許容される範囲内で多様に変形実施することができる。
【符号の説明】
【００１２】
１０    パターシャフト
２０    グリップ
２１    グリップ本体
２１ａ    挿入溝
２２    ブラシ
２３    支持板
２４    昇降部材
２４ａ    ハンドル
【図１】
0003226056.tif 000003
【図２】
0003226056.tif 000004
【図３】
0003226056.tif 000005
【図４】
0003226056.tif 000006
【図５】
0003226056.tif 000007